(57)【要約】      （修正有）【課題】ドアハンドルなどの取っ手に手が触れることで生じる汚染を、容易且つ低コストに防止または軽減できる取っ手カバーを提供する。【解決手段】一対の同一形状のカバー本体２０−１、２０−２と、一対の同一形状の弾性緩衝体５０−１、５０−２とを具備する取っ手カバー１０である。弾性緩衝体は、ドアハンドルの上下面にそれぞれ当接する取っ手当接面５５を有する。カバー本体は、弾性緩衝体を収納する緩衝体収納部２３を有すると共に、両カバー本体同士を係合する係合部（係止爪２９と爪係止部３１）を有し、さらに抗菌性を有する樹脂の成形品によって構成されている。一対の弾性緩衝体をそれぞれ一対のカバー本体の緩衝体収納部に収納した状態でドアハンドルを挟持し、両カバー本体を係合し一体化する。【選択図】図３
0003230319.tif 000002
【実用新案登録請求の範囲】
【請求項１】
取っ手の外表面を覆うように取り付けられる取っ手カバーであって、
前記取っ手カバーは、一対のカバー本体と、一対の弾性緩衝体とを具備し、
前記一対の弾性緩衝体は、前記取っ手の上下面にそれぞれ当接する取っ手当接面を有し、
前記一対のカバー本体は、前記一対の弾性緩衝体を収納する緩衝体収納部を有すると共に、両カバー本体同士を係合する係合部を有し、さらに少なくとも一方のカバー本体部は、抗菌性を有する樹脂の成形品によって構成されており、
前記一対の弾性緩衝体をそれぞれ一対のカバー本体の緩衝体収納部に収納した状態で、両カバー本体を係合し一体化してなることを特徴とする取っ手カバー。
【請求項２】
請求項１に記載の取っ手カバーであって、
前記取っ手は、ドアから突出する回転軸からほぼ直角に屈曲する棒状のドアハンドルであり、
前記一対の弾性緩衝体は、同一寸法形状であることを特徴とする取っ手カバー。
【請求項３】
請求項２に記載の取っ手カバーであって、
前記弾性緩衝体の取っ手当接面には、前記ドアハンドルの棒状に延びる方向に交差する方向に向かって並列に複数本の溝部が形成されていることを特徴とする取っ手カバー。
【請求項４】
請求項１に記載の取っ手カバーであって、
前記取っ手は、ドアから突出する回転軸からほぼ直角に屈曲する棒状のドアハンドルであり、
前記一対のカバー本体は、同一寸法形状であることを特徴とする取っ手カバー。
【請求項５】
請求項１乃至４の内の何れかに記載の取っ手カバーであって、
前記抗菌性を有する樹脂は、竹粉末を混錬した合成樹脂であることを特徴とする取っ手カバー。
【考案の詳細な説明】
【技術分野】
【０００１】
本考案は、ドアハンドル（ドアノブ）や、その他の取っ手に装着する取っ手カバーに関するものである。
【背景技術】
【０００２】
従来、例えば特許文献１の図１に示すように、ドア（９）の開閉のためにドア（９）に取り付けられるＬ字状のハンドル（８）がある。この種のハンドル（８）は、これに手をかけ押し下げて回転することでドア（９）を開錠し開くことができる。
【０００３】
一方、ハンドル（８）には、ドア（９）の開閉のために多数の人が触れるので、当該ハンドル（８）が感染症の細菌やウイルスなどに汚染される場合がある。
【先行技術文献】
【特許文献】
【０００４】
【特許文献１】特開２００７−２９７７８８号公報
【考案の概要】
【考案が解決しようとする課題】
【０００５】
本考案は上述の点に鑑みてなされたものでありその目的は、ドアハンドルなどの取っ手に手が触れることで生じる汚染を、容易且つ低コストに防止または軽減することができる取っ手カバーを提供することにある。
【課題を解決するための手段】
【０００６】
本考案は、取っ手の外表面を覆うように取り付けられる取っ手カバーであって、前記取っ手カバーは、一対のカバー本体と、一対の弾性緩衝体とを具備し、前記一対の弾性緩衝体は、前記取っ手の上下面にそれぞれ当接する取っ手当接面を有し、前記一対のカバー本体は、前記一対の弾性緩衝体を収納する緩衝体収納部を有すると共に、両カバー本体同士を係合する係合部を有し、さらに少なくとも一方のカバー本体部は、抗菌性を有する樹脂の成形品によって構成されており、前記一対の弾性緩衝体をそれぞれ一対のカバー本体の緩衝体収納部に収納した状態で、両カバー本体を係合し一体化してなることを特徴としている。
本考案によれば、カバー本体を、抗菌性を有する樹脂によって構成したので、例えこの取っ手カバーに手を触れて操作しても、当該取っ手カバーの汚染を、防止または軽減することができる。これによって、当該取っ手カバーに手を触れた人が感染症に感染するなどのリスクを低減することができる。
また本考案によれば、一対のカバー本体と一対の弾性緩衝体とによって取っ手カバーを構成しているので、抗菌性を有する取っ手カバーを、容易且つ低コストに製造できる。
また本考案によれば、一対の弾性緩衝体の取っ手当接面を取っ手に当接させ、その外側を抗菌性を有するカバー本体で覆う構成なので、取っ手には弾性緩衝体が当接し、取っ手に無理な力が印可されず、同時に各種取っ手の形状に対しても容易に無理なくこの取っ手カバーを装着することが可能になる。
【０００７】
また本考案は、上記特徴に加え、前記取っ手は、ドアから突出する回転軸からほぼ直角に屈曲する棒状のドアハンドルであり、前記一対の弾性緩衝体は、同一寸法形状であることを特徴としている。
本考案によれば、一対の弾性緩衝体を同一寸法形状としたので、抗菌性を有する取っ手カバーを、さらに容易且つ低コストに製造することができる。
【０００８】
また本考案は、上記特徴に加え、前記弾性緩衝体の取っ手当接面には、前記ドアハンドルの棒状に延びる方向に交差する方向に向かって並列に複数本の溝部が形成されていることを特徴としている。
本考案によれば、弾性緩衝体の取っ手当接面に溝部を設けたので、ドアハンドルに弾性緩衝体を圧接した際の弾性緩衝体の変形がより容易になり、取っ手当接面をドアハンドルに対して柔軟に変形させて弾接させることができ、ドアハンドルをより確実に把持することができる。
また本考案によれば、弾性緩衝体の溝部は、棒状に延びるドアハンドルに対して交差する方向を向くので、取っ手カバーのドアハンドルからの引き抜きをより確実に防止することができる。
【０００９】
また本考案は、上記特徴に加え、前記取っ手は、ドアから突出する回転軸からほぼ直角に屈曲する棒状のドアハンドルであり、前記一対のカバー本体は、同一寸法形状であることを特徴としている。
本考案によれば、一対のカバー本体を同一寸法形状としたので、抗菌性を有する取っ手カバーを、さらに容易且つ低コストに製造することができる。
【００１０】
また本考案は、上記特徴に加え、前記抗菌性を有する樹脂は、竹粉末を混錬した合成樹脂であることを特徴としている。
本考案によれば、竹粉末の抗菌性を利用して、効果的な抗菌作用を得ることができる。また竹粉末を混錬することによって合成樹脂の混合割合を減少させることができ、これによって廃棄時の際の燃焼カロリーの低減化、燃焼した際の有毒ガスやＣＯ２の発生量の減少化を図ることもできる。
【考案の効果】
【００１１】
本考案にかかる取っ手カバーによれば、ドアハンドルなどの取っ手に手が触れることで生じる汚染を、容易且つ低コストに防止または軽減することができる。
【図面の簡単な説明】
【００１２】
【図１】取っ手カバー１０をドアハンドル（取っ手）２００に取り付けた状態で示す斜視図である。
【図２】図１のＡ−Ａ断面斜視図である。
【図３】取っ手カバー１０の分解斜視図である。
【図４】図１のＢ−Ｂ概略断面図（但しドアハンドル２００を挟持しないときの図）である。
【考案を実施するための形態】
【００１３】
以下、本考案の実施形態を、図面を参照して詳細に説明する。
図１は本考案の一実施形態にかかる取っ手カバー１０を、ドアハンドル（取っ手）２００に取り付けた状態で示す斜視図、図２は図１のＡ−Ａ断面斜視図、図３は取っ手カバー１０の分解斜視図、図４は図１のＢ−Ｂ概略断面図（但しドアハンドル２００を挟持しないときの図）である。これらの図に示すように、取っ手カバー１０は、一対のカバー本体２０（２０−１，２０−２）と、一対の弾性緩衝体５０（５０−１，５０−２）とを具備して構成されている。なお以下の説明において、「上」とは図示しない扉に取り付けたドアハンドル２００の上面方向をいい、「下」とはその反対方向（下面方向）をいうものとする。
【００１４】
ドアハンドル２００は、図示しないドアに取り付けられるドア開閉用の取っ手であり、ドアから突出する回転軸２３０からほぼ直角に屈曲して棒状に延びる部分をいう。ドアハンドル２００の部分を下方向に押し下げて回転軸２３０を回動することでドアの施錠が開になる。ドアハンドル２００は、略長尺平板状であり、根元（回転軸２３０側）から先端方向に向けて少し上下に波打つように湾曲して構成されている。
【００１５】
取っ手カバー１０は、ドアハンドル２００の外表面を覆うように取り付けられる。
【００１６】
まずカバー本体２０（２０−１，２０−２）について説明する。一対のカバー本体２０−１，２０−２は同一のもの、即ち同一形状寸法なので、同一部分には同一符号を付す。
【００１７】
カバー本体２０は、合成樹脂の成形品であり、棒状のドアハンドル２００のほぼ全長にわたる長さを有し、外側に向けて凸となるように湾曲し、この湾曲によってその内側に凹状の緩衝体収納部２３を形成して構成されている。カバー本体２０の周囲には、側壁２５が設けられ、またカバー本体２０の根元側の側壁２５には、凹状のハンドル挿入用開口部２７が形成されている。
【００１８】
カバー本体２０は、抗菌性を有する樹脂の成形品によって構成されており、具体的にこの実施形態では、竹の粉末（平均粒径２０μのパウダー状）とポリオレフィン系合成樹脂（この例ではポリプロピレン樹脂）とタルク（Ｔａｌｃ）の粉末とを混錬したものを成形して構成されている。タルクとは、滑石という鉱石を微粉砕した無機粉末である。配合割合は、竹が５〜２５重量％、合成樹脂が３５〜４５重量％、タルクが４０〜５０重量％としている。
【００１９】
カバー本体２０の外表面には、滑り止め用の複数の突起２７が形成されている。カバー本体２０の長手方向に沿う左右両側壁２５の内の一方の側壁２５には、その根元側と先端側に、２つの係止爪（係合部を構成する）２９，２９が形成されている。係止爪２９は、側壁２５の上辺から上方向に突出するように形成されている。また、カバー本体２０の長手方向に沿う左右両側壁２５の内の他方の側壁２５には、その根元側と先端側に、２つの爪係止部（係合部を構成する）３１，３１が形成されている。爪係止部３１は、側壁２５の内側面に、前記係止爪２９を係止する形状の凹部によって形成されている。
【００２０】
カバー本体部２０の緩衝体収納部２３の内底面の根元側と先端側の２か所には、緩衝体係止用突起３３，３３（図２参照。なお図３に示すカバー本体２０―２においては係止爪２９，２９によって隠されていて見えない。）が形成されている。各緩衝体係止用突起３３，３３は、筒状の突起によって形成されている。
【００２１】
またカバー本体部２０の緩衝体収納部２３の内底面の先端側には、仕切壁３５が形成されている。仕切壁３５は、収納する弾性緩衝体５０の先端部分を当接して位置決めするものである。
【００２２】
次に一対の弾性緩衝体５０（５０−１，５０−２）について説明する。一対の弾性緩衝体５０−１，５０−２は同一のもの、即ち同一形状寸法なので、同一部分には同一符号を付す。
【００２３】
弾性緩衝体５０は、例えばエラストマー樹脂からなるゴム状弾性体を略平板長尺状で、前記カバー本体２０の緩衝体収納部２３のほぼ全長にわたる長さに成形して構成されている。弾性緩衝体５０の外側面（緩衝体収納部２３に対向する側の面）には、前記カバー本体２０に設けた一対の緩衝体係止用突起３３，３３をそれぞれ挿入・係合する円形穴からなる一対のカバー本体係止用凹部５３が形成されている。一方、弾性緩衝体５０の内側面（他方の弾性緩衝体５０に対向する側の面）は、前記ドアハンドル２００の表面に当接する取っ手当接面５５となっている。取っ手当接面５５には、前記ドアハンドル２００の棒状に延びる方向に交差する方向（この実施形態では直角に交差する方向）に向かって並列に複数本の溝部５７が当該取っ手当接面５５の全長にわたって形成されている。
【００２４】
以上のように構成されている一対のカバー本体２０−１．２０−２と、一対の弾性緩衝体５０−１，５０−２を用いて、ドアハンドル２００に装着するように、取っ手カバー１０を組み立てるには、例えば以下の組立方法を用いる。
【００２５】
例えば、まずカバー本体２０−１の緩衝体収納部２３内に、弾性緩衝体５０−１を収納し、その際、カバー本体２０−１に設けた一対の緩衝体係止用突起３３，３３を、弾性緩衝体５０−１に設けた一対のカバー本体係止用凹部５３に、それぞれ挿入し係合する。これによって弾性緩衝体５０−１がカバー本体２０−１に仮止めされる。同様に、カバー本体２０−２の緩衝体収納部２３内に、弾性緩衝体５０−２を収納し、仮止めする。
【００２６】
次に、前記ドアハンドル２００の上下から、弾性緩衝体５０−１を取り付けたカバー本体２０−１と、弾性緩衝体５０−２を取り付けたカバー本体２０−２とを、両弾性緩衝体５０−１，５０−２の取っ手当接面５５が対向した状態、即ち両弾性緩衝体５０−１，５０−２がドアハンドル２００側を向いた状態で、ドアハンドル２００を挟んで接合一体化する。
【００２７】
このとき、カバー本体２０−１の両係止爪２９，２９を、カバー本体２０−２の両爪係止部３１，３１に係合し、同時に、カバー本体２０−２の両係止爪２９，２９を、カバー本体２０−１の両爪係止部３１，３１に係合し、これによってドアハンドル２００をその上下から挟持した状態の取っ手カバー１０の組み立てが完了する。略長尺平板状のドアハンドル２００は、図２に示すように、根元から先端方向に向けて少し上下に波打つように湾曲して構成されているが、弾性緩衝体５０−１，５０−２の取っ手当接面５５には複数本の溝部５７が設けられているので、ドアハンドル２００に圧接した際の弾性緩衝体５０−１，５０−２の変形がより容易になり（変形部分が溝部５７内に入り込むことで、変形が容易になる）、取っ手当接面５５をドアハンドル２００に対して柔軟に変形させて弾接させることができ、ドアハンドル２００をより確実に把持することができる。なお上記組立手順はその一例であり、他の各種異なる組立手順を用いて組み立てても良いことはいうまでもない。
【００２８】
以上のようにして組み立てられた取っ手カバー１０を、人の手によって下方向に押し下げて、回転軸２３０を回動すれば、ドアの施錠が開になってドアを開くことができる。このとき、人の手は、取っ手カバー１０のカバー本体２０（２０−１及び／又は２０−２）の外表面に触れるが、カバー本体２０は抗菌性を有する樹脂によって構成されているので、当該人の手から取っ手カバー１０へ付着した所定の菌（または所定のウイルス）は殺菌または減菌され、これによって当該取っ手カバー１０から他の人の手への前記菌（またはウイルス）の付着を防止または抑制することができる。
【００２９】
即ち、ドアハンドル２００の外表面を覆うカバー本体２０を、抗菌性を有する樹脂によって構成したので、例えこの取っ手カバー１０に手を触れて操作しても、当該取っ手カバー１０の汚染を、防止または軽減することができる。これによって、当該取っ手カバー１０に手を触れた他の人が感染症に感染するなどのリスクを低減することができる。
【００３０】
また、一対のカバー本体２０−１，２０−２と一対の弾性緩衝体５０−１，５０−２とによって取っ手カバー１０を構成しているので、抗菌性を有する取っ手カバー１０を、容易且つ低コストに製造できる。
【００３１】
また、一対の弾性緩衝体５０−１，５０−２の取っ手当接面５５をドアハンドル２００に当接させ、その外側を抗菌性を有するカバー本体２０−１，２０−２で覆う構成なので、ドアハンドル２００には弾性緩衝体５０−１，５０−２が当接し、ドアハンドル２００に無理な力が印可されず、同時に各種ドアハンドル２００の形状に対しても容易に無理なくこの取っ手カバー１０を装着することが可能になる。
【００３２】
また上記実施形態においては、一対の弾性緩衝体５０−１，５０−２を同一寸法形状で構成したので、抗菌性を有する取っ手カバー１０を、さらに容易且つ低コストに製造することができる。同様に上記実施形態においては、一対のカバー本体２０−１，２０−２を同一寸法形状で構成したので、抗菌性を有する取っ手カバー１０を、さらに容易且つ低コストに製造することができる。
【００３３】
また上記実施形態においては、弾性緩衝体５０の取っ手当接面５５に溝部５７を設けたので、ドアハンドル２００に弾性緩衝体５０を圧接した際の弾性緩衝体５０の変形がより容易になり、取っ手当接面５５をドアハンドル２００に対して柔軟に変形させて弾接させることができ、ドアハンドル２００をより確実に把持することができる。
【００３４】
また上記実施形態においては、弾性緩衝体５０の溝部５７は、棒状に延びるドアハンドル２００に対して交差する方向を向くので、取っ手カバー１０のドアハンドル２００からの引き抜きをより確実に防止することができる。
【００３５】
上記実施形態においては、竹粉末の抗菌性を利用して、効果的な抗菌作用を得ることができるばかりか、竹粉末を混錬することによって合成樹脂の混合割合を減少させることができ、これによって廃棄時の際の燃焼カロリーの低減化、燃焼した際の有毒ガスやＣＯ２の発生量の減少化を図ることもできる。
【００３６】
以上本考案の実施形態を説明したが、本考案は上記実施形態に限定されるものではなく、実用新案登録請求の範囲、及び明細書と図面に記載された技術的思想の範囲内において種々の変形が可能である。なお直接明細書及び図面に記載がない何れの形状や構造や材質であっても、本願考案の作用・効果を奏する以上、本願考案の技術的思想の範囲内である。例えば、上記実施形態では、取っ手としてドアハンドル２００の例を示したが、ドア以外の各種家具や建築物や土木構造物などに設置された各種取っ手に対しても同様に適用することができる。また上記実施形態では、弾性緩衝体５０に溝部５７を設けたが、場合によっては、溝部５７は省略しても良い。また溝部５７の方向は、ドアハンドル２００の棒状に延びる方向に交差する方向に向かって形成することが好ましいが、必ずしも直角に交差させる必要はない。またカバー本体２０に設ける緩衝体収納部２３の形状や両カバー本体２０−１，２０−２同士を係合する係合部（係止爪２９と爪係止部３１）の形状や弾性緩衝体５０の取っ手当接面５５の形状などには種々の変形が可能である。また上記実施形態では、一対のカバー本体２０−１，２０−２と一対の弾性緩衝体５０−１，５０−２の形状寸法を同一にすることで、部品点数を削減したが、場合によっては一対のカバー本体２０−１，２０−２や一対の弾性緩衝体５０−１，５０−２の形状を異ならせても良い。また抗菌性を有する樹脂の成形品で構成するカバー本体２０は、何れか一方のカバー本体２０であっても良い。例えば手で押し下げるのは、上側のカバー本体２０−１なので、当該カバー本体２０−１のみを抗菌性を有する樹脂の成形品で構成しても良い。また上記実施形態では、抗菌性を有する樹脂として、竹粉末を混錬した合成樹脂を用いたが、竹粉末以外の抗菌性を有する素材、例えば月桃の粉末などを用いても良い。
【００３７】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本考案の実施形態は上記記載及び各図を組み合わせた一つの実施形態に限定されるものではない。
【符号の説明】
【００３８】
１０  取っ手カバー
２０（２０−１，２０−２）  カバー本体
２３  緩衝体収納部
２９  係止爪（係合部を構成する）
３１  爪係止部（係合部を構成する）
５０（５０−１，５０−２）  弾性緩衝体
５５  取っ手当接面
５７  溝部
２００  ドアハンドル（取っ手）
２３０  回転軸
【図１】
0003230319.tif 000003
【図２】
0003230319.tif 000004
【図３】
0003230319.tif 000005
【図４】
0003230319.tif 000006